(57)【特許請求の範囲】
【請求項１】
ワイパーブレードと複数のタイプのワイパーアームとを連結するコネクターにおいて、
ワイパーブレードに取り付けられるベース部と、
前記ベース部に直接的かつ回動可能に取り付けられる受容部材であって、垂直方向に沿って見たときに前記ベース部の上に配置され、少なくとも６つの異なるワイパーアームを受容して、該少なくとも６つの異なるワイパーアームに連結される構造部を有する受容部材とを備え、
６つの異なるワイパーアームの第１のワイパーアームはＪ字フックワイパーアームであり、６つの異なるワイパーアームの第２のワイパーアームはプッシュタブボタンワイパーアーム及びインサートアンドロックワイパーアームからなるグループから選択され、
前記受容部材の前記構造部は、
支持面と、
前記垂直方向に沿って見たときに、前記支持面から離間して該支持面に対面する係合面とを有し、
前記係合面は、該係合面の全長に沿って前記支持面に対して実質的に平行であり、
前記支持面と前記係合面とは、これらの間で前記第２のワイパーアームを受容するスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
前記第１の側方支持部および前記第２の側方支持部の双方に取り付けられる端部とを有し、
前記第１の側方支持部と、前記第２の側方支持部と、前記端部とは、Ｊ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、コネクター。
【請求項２】
フロントガラスワイパーにおいて、
ワイパーブレードと、
ワイパーアームと、
コネクターとを備え、
前記コネクターは、
前記ワイパーブレードに取り付けられるベース部と、
前記ベース部および前記ワイパーアームに取り付けられる受容部材であって、該受容部材が連結される前記ワイパーアームに加えて、少なくとも５つの異なるワイパーアームを受容して、該少なくとも５つの異なるワイパーアームに連結される構造部を有する受容部材とを備え、
異なるワイパーアームの第１のワイパーアームはＪ字フックワイパーアームであり、異なるワイパーアームの第２のワイパーアームはプッシュタブボタンワイパーアーム及びインサートアンドロックワイパーアームからなるグループから選択され、
前記受容部材の前記構造部は、
支持面と、
前記垂直方向に沿って見たときに、前記支持面から離間して該支持面に対面する係合面とを有し、
前記係合面は、該係合面の全長に沿って前記支持面に対して実質的に平行であり、
前記支持面と前記係合面とは、これらの間で前記第２のワイパーアームを受容するスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
前記第１の側方支持部および前記第２の側方支持部の双方に取り付けられる端部とを有し、
前記第１の側方支持部と、前記第２の側方支持部と、前記端部とは、Ｊ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、
フロントガラスワイパー。
【請求項３】
ワイパーブレードとワイパーアームとを連結するコネクターにおいて、
ワイパーブレードに取り付けられるベース部と、
前記ベース部に枢結される受容部材とを具備し、
前記該受容部材は、
該受容部材を前記ベース部に枢結する取付け部と、
第１のワイパーアームを受容するように構成されている穴とを有し、
更に、前記穴に隣接して配置され、前記ワイパーアームが前記穴に受容されると、前記ワイパーアームに係合して、前記受容部材が前記ベース部に対して回動することを防止する回動停止部を備え、
前記受容部材の前記構造部は、
支持面と、
前記垂直方向に沿って見たときに、前記支持面から離間して該支持面に対面する係合面とを有し、
前記係合面は、該係合面の全長に沿って前記支持面に対して実質的に平行であり、
前記支持面と前記係合面とは、これらの間で第２のワイパーアームを受容するスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
前記第１の側方支持部および前記第２の側方支持部の双方に取り付けられる端部とを有し、
前記第１の側方支持部と、前記第２の側方支持部と、前記端部とは、第３のＪ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、
コネクター。
【請求項４】
フロントガラスワイパーにおいて、
ワイパーブレードと、
第１のワイパーアームと、
コネクターとを具備し、
前記コネクターは、
前記ワイパーブレードに取り付けられるベース部と、
前記ベース部に枢結される受容部材とを有し、
前記受容部材は、
該受容部材を前記ベース部に枢結する取付け部と、
前記第１のワイパーアームを受容するように構成されている穴とを有しており、
更に、前記穴に隣接して配置され、前記ワイパーアームが前記穴に受容されると、前記ワイパーアームに係合して、前記受容部材が前記ベース部に対して回動することを防止する回動停止部を備え、
前記受容部材の前記構造部は、
支持面と、
前記垂直方向に沿って見たときに、前記支持面から離間して該支持面に対面する係合面とを有し、
前記係合面は、該係合面の全長に沿って前記支持面に対して実質的に平行であり、
前記支持面と前記係合面とは、これらの間で第２のワイパーアームを受容するスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
前記第１の側方支持部および前記第２の側方支持部の双方に取り付けられる端部とを有し、
前記第１の側方支持部と、前記第２の側方支持部と、前記端部とは、第３のＪ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、
フロントガラスワイパー。
【請求項５】
ワイパーブレードとワイパーアームとを連結するコネクターにおいて、
ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面は、該係合面の全長に沿って前記支持面に対して実質的に平行であり、
前記係合面と前記支持面とは第１のワイパーアームの表面をぴったりと受容するような寸法のスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面する突出部を有する係合舌片と、
前記第１の側方支持部および前記第２の側方支持部の双方に取り付けられる端部とを有し、
前記第１の側方支持部と、前記第２の側方支持部と、前記端部とは、第２のＪ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、
コネクター。
【請求項６】
フロントガラスワイパーにおいて、
ワイパーブレードと、
ワイパーアームと、
コネクターとを備え、
前記コネクターは、
前記ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面は、該係合面の全長に沿って前記支持面に対して実質的に平行であり、
前記係合面と前記支持面とは、第１のワイパーアームの表面をぴったりと受容するような寸法のスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面して前記第１のワイパーアームに係合する突出部を有する係合舌片と、
前記第１の側方支持部および前記第２の側方支持部の双方に取り付けられる端部とを有し、
前記第１の側方支持部と、前記第２の側方支持部と、前記端部とは、第２のＪ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、
フロントガラスワイパー。
【請求項７】
ワイパーブレードとワイパーアームとを連結するコネクターにおいて、
ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合して、該受容部材が前記ベース部に対して回動することを防止する回動停止部と、
互いに対面し互いに向かって押圧することができる一対の可撓性翼状停止部を含む支持面と、
前記支持面から離間して該支持面に対面する係合面とを有し、
前記係合面は、該係合面の全長に沿って前記支持面に対して実質的に平行であり、
前記係合面と前記支持面とは、第２のワイパーアームの表面をぴったりと受容するような寸法のスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片と、
前記第１の側方支持部および前記第２の側方支持部の双方に取り付けられる端部とを有し、
前記第１の側方支持部と、前記第２の側方支持部と、前記端部とは、第３のＪ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、コネクター。
【請求項８】
フロントガラスワイパーにおいて、
ワイパーブレードと、
ワイパーアームと、
前記ワイパーアームに取り付けられるコネクターとを備え、
前記コネクターは、
前記ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合し、該受容部材が前記ベース部に対して回動することを防止する回動停止部と、
互いに対面しに沿って互いに向かって押圧することができる一対の可撓性翼状停止部を含む支持面と、
前記支持面から離間して該支持面に対面する係合面とを有し、
前記係合面は、該係合面の全長に沿って前記支持面に対して実質的に平行であり、
前記係合面と前記支持面とは、第２のワイパーアームの表面をぴったりと受容するような寸法のスロットを形成し、該スロットは、前記垂直方向に対して垂直である水平方向に沿って見たときに、前記係合面の長さに沿って延びており、
前記支持面と前記係合面は、前記受容部材の如何なる部分によっても妨げられない横向き開口を有し、前記垂直方向及び前記水平方向の両方に垂直である横向き方向に平行で、端部を有しない第１の軸が、前記横向き開口を通り、かつ、前記受容部材に交差せず、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片と、
前記第１の側方支持部および前記第２の側方支持部の双方に取り付けられる端部とを有し、
前記第１の側方支持部と、前記第２の側方支持部と、前記端部とは、第３のＪ字フックワイパーアームを受容するキャビティを規定し、
前記スロットの後方の開口は、前記第１の側方支持部と、前記第２の側方支持部と、前記支持面とによって形成され、前記後方の開口は、前記第１の軸に垂直に交差する第２の軸であって、如何なる場合も前記受容部材に交差することなしに前記後方の開口の方に延びる第２の軸に垂直に交差している、
フロントガラスワイパー。
【発明の詳細な説明】
【技術分野】
【０００１】
本発明は、フロントガラスワイパーブレードを複数のタイプのフロントガラスワイパーアームに取り付けるユニバーサルコネクターに関する。
【背景技術】
【０００２】
自動車には、ワイパーブレードを動かす様々なワイパーアームが用いられている。ワイパーブレードは定期的に交換する必要があり、ワイパーブレードの潜在的購入者は、店に陳列されているワイパーブレードから自身の自動車のワイパーアームに取付け可能なものを特定するのにしばしば苦労する。従来、この状況への対処法は、消費者が消費者自身の自動車のワイパーアームと適切なコネクターとを組み合わせることができるように、多種類のコネクターを別個のパッケージにして提供するかまたはワイパーブレードそのものと一緒に多種類のコネクターを提供することであった。この手法は、消費者が複数のコネクターを扱う必要がある点で厄介な可能性がある。さらに、コネクターは複数のピースとなっている場合が多いが、このようなピースは紛失しやすい可能性がある。また、消費者のワイパーアームへの取付けに不適切なコネクターが購入される状況も発生し得る。
【発明の概要】
【０００３】
本発明の１つの態様は、ワイパーブレードと複数のタイプのワイパーアームとを連結するコネクターに関する。本コネクターは、ワイパーブレードに取り付けられるベース部を備える。本コネクターは、ベース部に取り付けられる受容部材を更に備える。受容部材は、少なくとも６つの異なるワイパーアームを受容して、該少なくとも６つの異なるワイパーアームに連結される構造部を有する。
【０００４】
本発明の第２の態様は、ワイパーブレードと、ワイパーアームと、コネクターとを備えるフロントガラスワイパーに関する。前記コネクターは、前記ワイパーブレードに取り付けられるベース部と、前記ベース部および前記ワイパーアームに取り付けられる受容部材とを備える。前記受容部材は、該受容部材が連結される前記ワイパーアームに加えて、少なくとも５つの異なるワイパーアームを受容して、該少なくとも５つの異なるワイパーアームに連結される構造部を有する。
【０００５】
本発明の第３の態様は、ワイパーブレードとワイパーアームとを連結するコネクターに関する。該コネクターは、ワイパーブレードに取り付けられるベース部と、前記ベース部に枢結される受容部材とを備える。該受容部材は、該受容部材を前記ベース部に枢結する取付け部と、ワイパーアームを受容するように構成されている穴とを有する。該コネクターは、前記穴に隣接して配置され、前記ワイパーアームが前記穴に受容されると、前記ワイパーアームに係合して前記受容部材が前記ベース部に対して回動することを防止する回動停止部を更に備える。
【０００６】
本発明の第４の態様は、ワイパーブレードと、ワイパーアームと、コネクターとを備えるフロントガラスワイパーに関する。該コネクターは、前記ワイパーブレードに取り付けられるベース部と、前記ベース部に枢結される受容部材とを備える。該受容部材は、該受容部材を前記ベース部に枢結する取付け部と、前記ワイパーアームを受容するように構成されている穴とを有する。該コネクターは、前記穴に隣接して配置される回動停止部であって、前記ワイパーアームが前記穴に受容されると、前記ワイパーアームに係合して、前記受容部材が前記ベース部に対して回動することを防止する回動停止部を更に備える。
【０００７】
本発明の第５の態様は、ワイパーブレードとワイパーアームとを連結するコネクターに関する。該コネクターは、ワイパーブレードに取り付けられるベース部と、前記ベース部に取り付けられる受容部材とを備える。前記受容部材は、支持面と、前記支持面から離間して該支持面に対面する係合面とを有する。前記係合面と前記支持面とは、ワイパーアームの表面をぴったりと受容するような寸法のスロットを形成する。前記係合面は、第１の側方支持部と、前記第１の側方支持部に対面する第２の側方支持部と、係合舌片とを含む。また、該係合舌片の一方の端部が、前記第１の側方支持部および前記第２の側方支持部の双方に取り付けられており、該係合舌片の反対側の端部が、自由であるとともに、前記支持面に対面する突出部を有する。
【０００８】
本発明の第６の態様は、ワイパーブレードと、ワイパーアームと、コネクターとを備えるフロントガラスワイパーに関する。前記コネクターは、前記ワイパーブレードに取り付けられるベース部と、前記ベース部に取り付けられる受容部材との双方を備える。前記受容部材は、支持面と、前記支持面から離間して該支持面に対面する係合面とを有し、前記係合面と前記支持面とは、前記ワイパーアームの表面をぴったりと受容するような寸法のスロットを形成する。前記係合面は、第１の側方支持部と、前記第１の側方支持部に対面する第２の側方支持部と、係合舌片とを含む。また、該係合舌片の一方の端部が、前記第１の側方支持部および前記第２の側方支持部の双方に取り付けられており、該係合舌片の反対側の端部が、自由であるとともに、前記支持面に対面して前記ワイパーアームに係合する突出部を有する。
【０００９】
本発明の第７の態様は、ワイパーブレードとワイパーアームとを連結するコネクターに関する。該コネクターは、ワイパーブレードに取り付けられるベース部と、前記ベース部に枢結される受容部材とを備える。前記受容部材は、該受容部材を前記ベース部に枢結する取付け部と、第１のワイパーアームを受容するように構成されている穴とを有する。該コネクターは、前記穴に隣接して配置され、前記第１のワイパーアームが前記穴に受容されると、前記第１のワイパーアームに係合して、該受容部材が前記ベース部に対して回動することを防止する回動停止部を更に備える。該コネクターは、互いに対面し互いに向かって押圧することができる一対の可撓性翼状停止部を含む、支持面と、前記支持面から離間して該支持面に対面する係合面とを更に有する。前記係合面と前記支持面とは、第２のワイパーアームの表面をぴったりと受容するような寸法のスロットを形成する。前記係合面は、第１の側方支持部と、前記第１の側方支持部に対面する第２の側方支持部と、係合舌片とを含む。また、該係合舌片の一方の端部が、前記第１の側方支持部および前記第２の側方支持部の双方に取り付けられており、該係合舌片の反対側の端部が、自由であるとともに、前記支持面に対面する突出部を有する。
【００１０】
本発明の第８の態様は、ワイパーブレードと、ワイパーアームと、コネクターとを備えるフロントガラスワイパーに関する。前記コネクターは、前記ワイパーアームに取り付けられ、前記ワイパーブレードに取り付けられるベース部と、前記ベース部に枢結される受容部材とを備える。前記受容部材は、該受容部材を前記ベース部に枢結する取付け部と、第１のワイパーアームを受容するように構成されている穴とを有する。前記コネクターは、前記穴に隣接して配置され、前記第１のワイパーアームが前記穴に受容されると、前記第１のワイパーアームに係合して、該受容部材が前記ベース部に対して回動することを防止する回動停止部を更に備える。前記コネクターは、互いに対面し互いに向かって押圧することができる一対の可撓性翼状停止部を含む、支持面と、前記支持面から離間して該支持面に対面する係合面とを更に有する。前記可撓性係合面と前記支持面とは、第２のワイパーアームの表面をぴったりと受容するような寸法のスロットを形成する。前記係合面は、第１の側方支持部と、前記第１の側方支持部に対面する第２の側方支持部と、係合舌片とを含む。また、該係合舌片の一方の端部が、前記第１の側方支持部および前記第２の側方支持部の双方に取り付けられており、該係合舌片の反対側の端部が、自由であるとともに、前記支持面に対面する突出部を有する。
【００１１】
本発明の１つまたは複数の態様は、ただ１つのコネクターを用いて、ワイパーブレードを複数のワイパーアームに取付け可能にするという利点を提供する。
【００１２】
本発明の１つまたは複数の態様は、単一片構成のコネクターを用いて、ワイパーブレードを複数のワイパーアームに取付け可能にするという利点を提供する。
【００１３】
本明細書に援用されるとともに本明細書の一部をなす添付図面は、上記の概要および下記の詳細な説明とともに、本発明の特徴部を説明する役目を果たす。
【図面の簡単な説明】
【００１４】
【図１Ａ】キャップが開いている場合の、ワイパーブレードと複数のタイプのワイパーアームとを連結するコネクターの一実施形態の斜視図である。
【図１Ｂ】キャップが閉じている場合の、図１Ａのコネクターの斜視図である。
【図１Ｃ】図１Ａのコネクターの分解図である。
【図２】図１Ｂのコネクターの左側面図である。
【図３】図１Ｂのコネクターの右側面図である。
【図４】図１Ｂのコネクターの上面図である。
【図５】図１Ｂのコネクターの底面図である。
【図６】図１Ｂのコネクターの正面図である。
【図７】図１Ｂのコネクターの背面図である。
【図８Ａ】図１Ａ〜図１Ｃのコネクターに取り付けることができるワイパーアームのコネクターの種類の一候補を示す図である。
【図８Ｂ】図１Ａ〜図１Ｃのコネクターに取り付けることができるワイパーアームのコネクターの種類の一候補を示す図である。
【図８Ｃ】図１Ａ〜図１Ｃのコネクターに取り付けることができるワイパーアームのコネクターの種類の一候補を示す図である。
【図８Ｄ】図１Ａ〜図１Ｃのコネクターに取り付けることができるワイパーアームのコネクターの種類の一候補を示す図である。
【図９Ａ】ピンワイパーアームを図１Ａ〜図１Ｃのコネクターに取り付ける方法の一候補を示す図である。
【図９Ｂ】ピンワイパーアームを図１Ａ〜図１Ｃのコネクターに取り付ける方法の一候補を示す図である。
【図１０Ａ】プッシュタブボタン（ＰＴＢ）ワイパーアームとして一般に知られている一タイプのチャネルワイパーアームを図１Ａ〜図１Ｃのコネクターに取り付ける方法の一候補を示す図である。
【図１０Ｂ】プッシュタブボタン（ＰＴＢ）ワイパーアームとして一般に知られている一タイプのチャネルワイパーアームを図１Ａ〜図１Ｃのコネクターに取り付ける方法の一候補を示す図である。
【図１０Ｃ】プッシュタブボタン（ＰＴＢ）ワイパーアームとして一般に知られている一タイプのチャネルワイパーアームを図１Ａ〜図１Ｃのコネクターに取り付ける方法の一候補を示す図である。
【図１１Ａ】インサートアンドロック（Ｉ＆Ｌ）ワイパーアームとして一般に知られている一タイプのチャネルワイパーアームを図１Ａ〜図１Ｃのコネクターに取り付ける方法の一候補を示す図である。
【図１１Ｂ】インサートアンドロック（Ｉ＆Ｌ）ワイパーアームとして一般に知られている一タイプのチャネルワイパーアームを図１Ａ〜図１Ｃのコネクターに取り付ける方法の一候補を示す図である。
【図１１Ｃ】インサートアンドロック（Ｉ＆Ｌ）ワイパーアームとして一般に知られている一タイプのチャネルワイパーアームを図１Ａ〜図１Ｃのコネクターに取り付ける方法の一候補を示す図である。
【図１２Ａ】Ｊ字フックワイパーアームを図１Ａ〜図１Ｃのコネクターに取り付ける方法の一候補を示す図である。
【図１２Ｂ】Ｊ字フックワイパーアームを図１Ａ〜図１Ｃのコネクターに取り付ける方法の一候補を示す図である。
【図１３Ａ】Ｊ字フックワイパーアームに取り付けられている図１Ａ〜図１Ｃのコネクターの側面図である。
【図１３Ｂ】図１３ＡのコネクターおよびＪ字フックワイパーアームの上面図である。
【図１３Ｃ】図１３Ａの線Ｂ−Ｂに沿った、図１３ＡのコネクターおよびＪ字フックワイパーアームの断面図である。
【図１３Ｄ】図１３Ａの線Ａ−Ａに沿った、図１３ＡのコネクターおよびＪ字フックワイパーアームの断面図である。
【発明を実施するための形態】
【００１５】
図１Ａ〜図１Ｃおよび図２〜図７は、ワイパーブレードと複数のタイプのワイパーアームとを連結するコネクター１００を示している。コネクター１００は、コネクター１００をワイパーブレードに取り付けるのに用いるベース部１０２を備える。詳細には、ベース部１０２の下側には、ワイパーブレードの中央部に位置するブラケットに係合する可撓性フィンガーがある。コネクター１００が取り付けられるワイパーブレードの一候補例は、Latitudeという商品名で販売されている（ITW Global BrandsによるRain-Xという商標下で流通している）ワイパーブレードである。ベース部１０２は、ADM21 Co., LTD.社、Anco社、Bosch社、Corea Autoparts Producing Corp.社、KCW Corporation社、Proline社、Trico社、およびValeo社によって製造されているワイパーブレード等の、他のタイプのワイパーブレードに取り付けることができるように改変可能であることに留意されたい。
【００１６】
コネクター１００は、ベース部１０２の上部に枢結される受容部材１０４を備える。詳細には、受容部材１０４は、受容部材１０４の対向する側壁１０８、１１０の内面上に、互いに対面する一対のピン（図示せず）を有する。ピンは、ベース部１０２と一体である隣り合う回動停止部１３０の孔１０５に挿入される。従って、受容部材１０２は、ピンの回りに回動可能である。図１Ｃに示すように、ベース部１０２は、互いに対面するとともに互いに平行である、一対の回動停止部１３０に一体に取り付けられている。回動停止部１３０は、形状が同一であり、回動停止部１３０の凹状部１３１と凹状部１３３とが位置合わせされて穴１１２、１１４、１１６、１１８の底縁に隣接するように位置決めされる。
【００１７】
以下で説明するように、受容部材１０４は、少なくとも６つの異なるワイパーアームを受容して、該少なくとも６つの異なるワイパーアームに連結される構造部を有する。少なくとも６つの異なるワイパーアームは、少なくとも３つの異なる種類のワイパーアームに属するように規定される。コネクター１００を取り付けることができる１つの種類のワイパーアームはピンアーム型ワイパーアームであり、ピンワイパーアーム２００、２０２がその一例である。そのようなピンアーム型ワイパーアームの近位端部が図８Ａ（１）、図８Ａ（２）に示されている。このような取付けを行うには、ロック用キャップすなわちロック用カバー１０６を図１Ａに示すような開位置に回動する。ロック用キャップ１０６の回動は、ロック用キャップ１０６の下端部にある、互いに対向する一対のピン（図示せず）によって達成される。これらのピンを、受容部材１０４の対向する側壁１０８、１１０の内面に形成されている対応する開口に挿入する。それにより、ロック用キャップ１０６は、ピンと整合する軸の回りで、図１Ａに示す開位置から図１Ｂに示す閉位置に回動する。
【００１８】
ロック用キャップ１０６が開位置にあると、ピンワイパーアームを、受容部材１０４を介してコネクター１００に取り付けることができる。コネクター１００は、図８Ａ（１）の大型ワイパーピン２００、および、図８Ａ（２）の小型ワイパーピン２０２等の、複数のサイズのピンアームに対応することができる。これは、一対の穴、すなわち開口１１２、１１４を側壁１０８に形成するとともに、同一サイズの対向する穴、すなわち開口１１６、１１８を側壁１１０に形成することにより、部分的に達成される。上側の穴１１２、１１６は、小型ピンワイパーアーム２０２の遠位部の直径に対応するような直径を有する。同様に、下側の穴１１４、１１８は、大型ピンワイパーアーム２００の遠位部の直径に対応するような直径を有する。
【００１９】
大型ピンワイパーアーム２００の取付けも、小型ピンワイパーアーム２０２の取付けも、同じように達成される。大型ピンワイパーアーム２００を取り付けると、遠位端部２０４が、図９Ａに示す穴１１４に位置合わせされる。次に、遠位端部２０４が穴１１８内に受容されて側壁１１０の外側を僅かに越えて延出するまで、遠位端部２０４を穴１１４に挿通する。この位置において、ロック用キャップ１０６を図１Ｂの閉位置に回動させる。このとき、ロック用キャップ１０６の側方突出部１２０（図１Ａ、１Ｃを参照）が側壁１０８、１１０に形成されている凹状部１２２（図１Ａ、１Ｃを参照）に係合する。側方突出部１２０が凹状部１２２内に係合することで、図１１Ｂに示すスナップ音が発生する。これは、ピンワイパーアームがコネクター１００に取り付けられた状態にロックされたことを示す。閉位置では、ロック用キャップ１０６のＣ字凹状部すなわちＣ字面１２４は、ピンワイパーアーム２００の中間部２０６に係合し、全体としてピンワイパーアーム２００を穴１１４、１１８の縁に押し付けることに留意されたい。Ｃ字凹状部すなわちＣ字面１２４は、中間部２０６の形状に対応する形状を有することが好ましい。ピンワイパーアーム２００の取外しは、ロック用キャップ１０６を図１Ａの開位置に動かすとともに、ピンワイパーアーム２０２の遠位端部を穴１１４、１１８から引き抜くことによって達成される。
【００２０】
大型ピンワイパーアーム２００に関して上述したのと同じように、穴１１２、１１６に挿通することによって小型ピンワイパーアーム２０２を取り付ける、ロック用キャップ１０６が閉鎖されると、ロック用キャップ１０６の比較的小さいＣ字面１２６がピンワイパーアーム２０２の中間部に係合する。ピンワイパーアーム２０２の取外しは、ロック用キャップ１０６を図１Ａの開位置に動かすとともに、ピンワイパーアーム２０２の遠位端部を穴１１２、１１６から引き抜くことによって達成される。
【００２１】
受容部材１０４は、穴１１４および側壁１０８から離れるように延びるＣ字カラー１２８を含み、遠位端部２０４が穴１１８および側壁１１０の外側を過度に越えて延出することを防止するようになっていることに留意されたい。
【００２２】
前述のように、カバーキャップ１０６を閉位置に動かすことで、ピンワイパーアームが適所にロックされる。ピンワイパーアーム２００、２０２を受容部材１０４に挿入する間、ピンワイパーアーム２００、２０２の遠位端部は、受容部材１０４の内側に位置する回動停止部１３０の凹状部１３１または凹状部１３３のいずれかに係合することに留意すべきである。このような係合は、ピンワイパーアームが穴１１２、１１６に挿入されるか、または穴１１４、１１８に係合されるかによって決まる。また、ピンワイパーアームが穴および凹状部に同時に係合することで、受容部材１０４がベース部１０２に対して回動することが防止される。
【００２３】
コネクター１００を取り付けることができる第２の種類のワイパーアームは、チャネルアームタイプのワイパーアームである。このような種類の例は、図８Ｂに示すプッシュタブボタン（ＰＴＢ）ワイパーアーム２０８、および、図８Ｃに示すインサートアンドロック（Ｉ＆Ｌ）ワイパーアーム２１０である。ＰＴＢワイパーアーム２０８の場合、ワイパーアーム２０８全体が、受容部材１０４の支持面１４２と、支持面１４２から離間して支持面１４２に対面する係合面１４４との間の空間によって形成されるスロット１４０と位置合わせされる（図１０Ａを参照）。スロット１４０は、図１０Ｂに示すようにスロット１４０に挿入されているＰＴＢワイパーアーム２０８の位置合わせされた遠位端部の上面２１０をぴったりと受容するような寸法である。図１Ａ、１Ｂに示すように、係合面１４４は、第１の側方支持部１４６と、第１の側方支持部１４６に対面する第２の側方支持部１４８とを含む。係合面１４４は、係合舌片１５０を更に含む。係合舌片１５０の一方の端部１５２が、側方支持部１４６、１４８の双方に取り付けられており、係合舌片１５０の反対側の端部１５４が、自由であるとともに、係合舌片１５０の下面において支持面１４２に対面する突出部１５５（図２、３、７）を有する。第１の側方支持部１４６および第２の側方支持部１４８は係合舌片１５０とは独立して動き、また、係合舌片１５０は第１の側方支持部１４６および第２の側方支持部１４８とは独立して動く。
【００２４】
ＰＴＢワイパーアーム２０８の上面２１０がスロット１４０に挿入されると、ＰＴＢワイパーアーム２０８は、係合舌片１５０の下面にある突出部１５５がＰＴＢワイパーアーム２０８の上面２１０の矩形開口２１２にスナップ係合するまで、ロック用キャップ１０６に向かってスロット１４０に更に押し込まれる。突出部１５５が開口２１２に挿通されたスナップ音が聞こえると、それは、ＰＴＢワイパーアーム２０８がコネクター１００に取り付けられたことを示す。ＰＴＢワイパーアーム２０８の挿入中、側方フランジ２１４が支持面１４２の下縁１５６に係合することに留意されたい。また、ロック位置では、ＰＴＢワイパーアーム２０８の肩部２１６が、互いに対面する一対の可撓性翼状停止部１５８によって、ロック用キャップ１０６から離れる方向に大幅に動かないように捕捉される。可撓性翼状停止部１５８は、スロット１４０の長手軸に対して垂直の方向に沿って互いに向かって押圧することができる。
【００２５】
適所にロックされているＰＴＢワイパーアーム２０８の取外しは、係合舌片１５０の上面にある解除ノッチ１６０を上方に回動させることによって達成される。このような回動により、係合舌片１５０の下面にある突出部１５５が開口２１２から外れる。この段階において、可撓性翼状停止部１５８を互いに向かって押圧すると、ＰＴＢアームをスロット１４０から引き抜くことができる。
【００２６】
図１１Ａに示すように、Ｉ＆Ｌワイパーアーム２１８をコネクター１００に取り付けることは、まず、ワイパーアーム２１８の遠位端部がスロット１４０と支持面１４２の側壁間に形成されたチャネルとに挿入されるように、ワイパーアーム２１８の遠位端部を傾けて位置合わせすることによって達成される。このように傾けることは、Ｉ＆Ｌワイパーアーム２１８の湾曲部１５７（図８Ｃを参照）の前縁をスロット１４０に妨げなく挿入することができるようにするのに必要である。スロット１４０とチャネルとは互いに隣り合って互いに流体連通し、チャネルがスロット１４０よりもロック用キャップ１０６に近い位置にあることに留意されたい。湾曲部１５７をスロット１４０に挿入すると、Ｉ＆Ｌワイパーアーム２１８は下方に回動し、Ｉ＆Ｌワイパーアーム２１８の上面が、図１１Ｂに示すロック用カバー１０６に向かってスロット１４０に押し込まれる。肩部２２０が翼状停止部１５８の上面に乗り上げて肩部２２０が翼状停止部１５８を通過するまで、ワイパーアーム２１８を押し続ける。図１１Ｃに示すように、この時点で、翼状停止部１５８が肩部２２０の背後にスナップ係合し、それによりＩ＆Ｌワイパーアームがスロット１４０から外れることが防止される。また、この時点において、湾曲部１５７がチャネルに進入し、湾曲部１５７の形状に対して相補的な形状である受容部材１０４の肩部に係合する。翼状停止部１５８が挿入されたスナップ音が聞こえると、それは、Ｉ＆Ｌワイパーアーム２１８がコネクター１００に取り付けられたことを示す。
【００２７】
適所にロックされているＩ＆Ｌワイパーアーム２１８の取外しは、翼状停止部１５８を互いに向かって締め付け、肩部２２０が翼状停止部１５８を越えてロック用カバー１０６から離れるように動くことを可能にすることによって達成される。この構成により、Ｉ＆Ｌワイパーアーム２１８をスロット１４０から取り外すことができる。
【００２８】
コネクター１００を取り付けることができる第３の種類のワイパーアームは、Ｊ字フックワイパーアームである。このようなワイパーアームの例は、図８Ｄ（１）、図８Ｄ（２）のＪ字フックワイパーアーム２１２、２１４であり、図８Ｄ（１）、図８Ｄ（２）には、そのようなピンアーム型ワイパーアームの近位端部が図示されている。このような取付けを行うには、ロック用キャップすなわちロック用カバー１０６を図１Ａに示すような開位置に回動する。
【００２９】
ロック用キャップ１０６が開位置にあると、Ｊ字フックワイパーアームを、受容部材１０４を介してコネクター１００に取り付けることができる。コネクター１００は、図８Ｄ（１）の大型Ｊ字フックワイパーアーム２１２、および。図８Ｄ（２）の小型Ｊ字フックワイパーアーム２１４等の、複数のサイズのＪ字フックワイパーアームに対応することができる。これは、図１３Ｃに示すような、端部１６２と、側壁１０８、１１０と、支持面１４２とによって部分的に形成されるキャビティを設けることにより、部分的に達成される。図１２Ａに示すように、取付けは、Ｊ字フックワイパーアーム２１２、２１４の湾曲部が図１３Ｃに示すように端部１６２にぴったりと係合するまで、Ｊ字フックワイパーアーム２１２、２１４の自由端部を上記キャビティに挿入するとともにロック用キャップ１０６から離れるように引くこと（図１２Ａを参照）によって達成される。この位置において、ロック用キャップは、図１２Ｂおよび図１３Ａ〜図１３Ｃに示す閉位置にスナップ係合し、それにより、Ｊ字フックワイパーアーム２１２、２１４が適所にロックされる。小型Ｊ字フックワイパーアーム２１４の場合、自由端部は支持面１４２の真下に位置することに留意されたい（図１３Ｃを参照）。大型Ｊ字フックワイパーアーム２１２の場合、自由端部は、最終的に下側のキャビティ１６６の下面１６４にぴったりと係合する（図１３Ｃを参照）。
【００３０】
当業者には、本発明の広範な発明的概念から逸脱することなく、上述した実施形態に対して変更を行うことができることが理解される。例えば、前述した受容部材１０４は、Ｊ字フックワイパーアームを取り付ける構造部は有しないが、複数のピンワイパーアーム、並びにＰＴＢワイパーアームおよびＩ＆Ｌワイパーアーム等の複数のチャネルワイパーアームを取り付ける前述の構造部は有するように変形することができる。これは、本出願と同日出願された、「Connectors and Connector Kit for Attachment of a Windshield Wiper Blade to Multiple Types of Windshield Wiper Arms」という名称の係属中の米国特許出願（代理人整理番号１４６５６／７、顧客参照番号ＩＴＷ６１９６８）に記載されている。上記米国特許出願の内容全体は、引用することにより本明細書の一部をなす。従って、本発明は開示された特定の実施形態に限定されず、添付の特許請求の範囲によって規定される本発明の趣旨および範囲内での変更を包含することが意図されることが理解される。また、完全なコネクター１００またはベース部１０２を有しないコネクター１００の設計態様が可能である。
なお、本発明は以下の特徴を以って実施することができる。
［特徴１］
ワイパーブレードと複数のタイプのワイパーアームとを連結するコネクターにおいて、
ワイパーブレードに取り付けられるベース部と、
前記ベース部に取り付けられ、少なくとも６つの異なるワイパーアームを受容して、該少なくとも６つの異なるワイパーアームに連結される構造部を有する受容部材とを備えるコネクター。
［特徴２］
前記少なくとも６つの異なるワイパーアームは少なくとも３つの異なる種類のワイパーアームを含む特徴１に記載のコネクター。
［特徴３］
前記少なくとも６つの異なるワイパーアームのうちの１つはＩ＆Ｌワイパーアームである特徴２に記載のコネクター。
［特徴４］
前記少なくとも６つの異なるワイパーアームのうちの１つはＰＴＢワイパーアームである特徴１に記載のコネクター。
［特徴５］
前記少なくとも６つの異なるワイパーアームのうちの１つはＪ字フックワイパーアームである特徴１に記載のコネクター。
［特徴６］
前記少なくとも６つの異なるワイパーアームのうちの１つはピンワイパーアームである特徴１に記載のコネクター。
［特徴７］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとを含む特徴１に記載のコネクター。
［特徴８］
フロントガラスワイパーにおいて、
ワイパーブレードと、
ワイパーアームと、
コネクターとを備え、
前記コネクターは、
前記ワイパーブレードに取り付けられるベース部と、
前記ベース部および前記ワイパーアームに取り付けられる受容部材であって、該受容部材が連結される前記ワイパーアームに加えて、少なくとも５つの異なるワイパーアームを受容して、該少なくとも５つの異なるワイパーアームに連結される構造部を有する受容部材とを備えるフロントガラスワイパー。
［特徴９］
前記受容部材に取り付けられる前記ワイパーアームおよび前記少なくとも５つの異なるワイパーアームは、少なくとも３つの異なる種類のワイパーアームを含む特徴８に記載のフロントガラスワイパー。
［特徴１０］
前記受容部材に取り付けられる前記ワイパーアームはＩ＆Ｌワイパーアームである特徴８に記載のフロントガラスワイパー。
［特徴１１］
前記受容部材に取り付けられる前記ワイパーアームはＰＴＢワイパーアームである特徴８に記載のフロントガラスワイパー。
［特徴１２］
前記受容部材に取り付けられる前記ワイパーアームはＪ字フックワイパーアームである特徴８に記載のフロントガラスワイパー。
［特徴１３］
前記受容部材に取り付けられる前記ワイパーアームはピンワイパーアームである特徴８に記載のフロントガラスワイパー。
［特徴１４］
前記受容部材に取り付けられる前記ワイパーアームおよび前記少なくとも５つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとを含む特徴８に記載のフロントガラスワイパー。
［特徴１５］
ワイパーブレードとワイパーアームとを連結するコネクターにおいて、
ワイパーブレードに取り付けられるベース部と、
前記ベース部に枢結される受容部材とを具備し、
前記該受容部材は、
該受容部材を前記ベース部に枢結する取付け部と、
ワイパーアームを受容するように構成されている穴とを有し、
更に、前記穴に隣接して配置され、前記ワイパーアームが前記穴に受容されると、前記ワイパーアームに係合して、前記受容部材が前記ベース部に対して回動することを防止する回動停止部を備えるコネクター。
［特徴１６］
前記回動停止部は前記ベース部と一体である特徴１５に記載のコネクター。
［特徴１７］
前記受容部材は、少なくとも６つの異なるワイパーアームを受容して、該少なくとも６つの異なるワイパーアームに連結される構造部を有する特徴１５に記載のコネクター。
［特徴１８］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴１７に記載のコネクター。
［特徴１９］
前記少なくとも６つの異なるワイパーアームは少なくとも３つの異なる種類のワイパーアームを含む特徴１７に記載のコネクター。
［特徴２０］
前記受容部材は凹状部を有するキャップを含み、該キャップは、開位置から閉位置に回動し、該閉位置では、前記凹状部は前記穴に受容されている前記ワイパーアームに係合する特徴１５に記載のコネクター。
［特徴２１］
フロントガラスワイパーにおいて、
ワイパーブレードと、
ワイパーアームと、
コネクターとを具備し、
前記コネクターは、
前記ワイパーブレードに取り付けられるベース部と、
前記ベース部に枢結される受容部材とを有し、
前記受容部材は、
該受容部材を前記ベース部に枢結する取付け部と、
前記ワイパーアームを受容するように構成されている穴とを有しており、
更に、前記穴に隣接して配置され、前記ワイパーアームが前記穴に受容されると、前記ワイパーアームに係合して、前記受容部材が前記ベース部に対して回動することを防止する回動停止部を備えるフロントガラスワイパー。
［特徴２２］
前記回動停止部は前記ベース部と一体である特徴２１に記載のコネクター。
［特徴２３］
前記ワイパーアームは、ピンワイパーアームである特徴２１に記載のフロントガラスワイパー。
［特徴２４］
前記受容部材は、前記穴が受容する前記ワイパーアームに加えて、少なくとも５つの異なるワイパーアームを受容して、該少なくとも５つの異なるワイパーアームに連結される構造部を有する特徴２１に記載のフロントガラスワイパー。
［特徴２５］
前記少なくとも５つの異なるワイパーアームは、Ｉ＆Ｌワイパーアームと、ＰＴＢワイパーアームと、ピンワイパーアームと、第１のＪ字フックワイパーアームと、第２のＪ字フックワイパーアームとを含む特徴２４に記載のフロントガラスワイパー。
［特徴２６］
前記穴が受容する前記ワイパーアームは第２のピンワイパーアームである特徴２５に記載のフロントガラスワイパー。
［特徴２７］
前記穴が受容する前記ワイパーアームおよび前記少なくとも５つの異なるワイパーアームは、少なくとも３つの異なる種類のワイパーアームを含む特徴２４に記載のフロントガラスワイパー。
［特徴２８］
前記受容部材は凹状部を有するキャップを含み、該キャップは、開位置から閉位置に回動し、該閉位置では、前記凹状部は前記穴に受容されている前記ワイパーアームに係合する特徴２１に記載のフロントガラスワイパー。
［特徴２９］
ワイパーブレードとワイパーアームとを連結するコネクターにおいて、
ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面と前記支持面とは、ワイパーアームの表面をぴったりと受容するような寸法のスロットを形成しており、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面する突出部を有する係合舌片とを含むコネクター。
［特徴３０］
前記第１の側方支持部および前記第２の側方支持部は前記係合舌片とは独立して動き、また、該係合舌片は該第１の側方支持部および該第２の側方支持部とは独立して動く特徴２９に記載のコネクター。
［特徴３１］
前記係合舌片は、前記突出部の反対側に位置する解除ノッチを有する特徴２９に記載のコネクター。
［特徴３２］
前記支持部は、一対の可撓性翼状停止部を更に含み、該一対の可撓性翼状停止部は、互いに対面し、前記スロットの長手軸に対して垂直の方向に沿って互いに向かって押圧することができる特徴２９に記載のコネクター。
［特徴３３］
前記受容部材は、少なくとも６つの異なるワイパーアームを受容して、該少なくとも６つの異なるワイパーアームに連結される構造部を有する特徴２９に記載のコネクター。
［特徴３４］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴３３に記載のコネクター。
［特徴３５］
前記少なくとも６つの異なるワイパーアームは少なくとも３つの異なる種類のワイパーアームを含む特徴３３に記載のコネクター。
［特徴３６］
フロントガラスワイパーにおいて、
ワイパーブレードと、
ワイパーアームと、
コネクターとを備え、
前記コネクターは、
前記ワイパーブレードに取り付けられるベース部と、
前記ベース部に取り付けられる受容部材とを備え、
前記受容部材は、
支持面と、
前記支持面から離間して該支持面に対面する係合面とを有し、
前記係合面と前記支持面とは、前記ワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、反対側の端部が、自由であるとともに、前記支持面に対面して前記ワイパーアームに係合する突出部を有する係合舌片とを含むフロントガラスワイパー。
［特徴３７］
前記第１の側方支持部および前記第２の側方支持部は前記係合舌片とは独立して動き、また、該係合舌片は該第１の側方支持部および該第２の側方支持部とは独立して動く特徴３６に記載のフロントガラスワイパー。
［特徴３８］
前記係合舌片は、前記突出部の反対側に位置する解除ノッチを有する特徴３６に記載のフロントガラスワイパー。
［特徴３９］
前記支持部は一対の可撓性翼状停止部を更に含み、該一対の可撓性翼状停止部は、互いに対面し、前記スロットの長手軸に対して垂直の方向に沿って互いに向かって押圧することができ、前記翼状停止部が互いに向かって押圧されていないとき、該翼状停止部は、前記ワイパーアームが前記長手軸に沿って動くことを防止する特徴３６に記載のフロントガラスワイパー。
［特徴４０］
前記ワイパーアームは前記支持面の下側に係合するフランジを有する特徴３６に記載のフロントガラスワイパー。
［特徴４１］
前記ワイパーアームはＰＴＢワイパーアームである特徴３６に記載のフロントガラスワイパー。
［特徴４２］
前記受容部材は、前記スロットに受容する前記ワイパーアームの他に、少なくとも５つの異なるワイパーアームを受容して、該少なくとも５つの異なるワイパーアームに連結される構造部を有する特徴４１に記載のフロントガラスワイパー。
［特徴４３］
前記少なくとも５つの異なるワイパーアームは、Ｉ＆Ｌワイパーアームと、第１のピンワイパーアームと、第２のピンワイパーアームと、第１のＪ字フックワイパーアームと、第２のＪ字フックワイパーアームとである特徴４２に記載のフロントガラスワイパー。
［特徴４４］
前記スロットが受容する前記ワイパーアームおよび前記少なくとも５つの異なるワイパーアームは、少なくとも３つの異なる種類のワイパーアームを含む特徴４２に記載のフロントガラスワイパー。
［特徴４５］
ワイパーブレードとワイパーアームとを連結するコネクターにおいて、
ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合して、該受容部材が前記ベース部に対して回動することを防止する回動停止部と、
互いに対面し互いに向かって押圧することができる一対の可撓性翼状停止部を含む支持面と、
前記支持面から離間して該支持面に対面する係合面とを有し、
前記係合面と前記支持面とは、第２のワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片とを含むコネクター。
［特徴４６］
前記第１の側方支持部および前記第２の側方支持部は前記係合舌片とは独立して動き、また、該係合舌片は該第１の側方支持部および該第２の側方支持部とは独立して動く特徴４５に記載のコネクター。
［特徴４７］
前記係合舌片は前記突出部の反対側に位置する解除ノッチを有する特徴４５に記載のコネクター。
［特徴４８］
前記一対の可撓性翼状停止部は、前記スロットの長手軸に対して垂直の方向に沿って互いに向かって押圧することができる特徴４５に記載のコネクター。
［特徴４９］
前記回動停止部は前記ベース部と一体である特徴４５に記載のコネクター。
［特徴５０］
前記受容部材は、少なくとも６つの異なるワイパーアームを受容して、該少なくとも６つの異なるワイパーアームに連結される構造部を有する特徴４５に記載のコネクター。
［特徴５１］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴５０に記載のコネクター。
［特徴５２］
前記少なくとも６つの異なるワイパーアームは、少なくとも３つの異なる種類のワイパーアームを含む特徴５０に記載のコネクター。
［特徴５３］
前記受容部材は凹状部を有するキャップを含み、該キャップは、開位置から閉位置に回動し、該閉位置では、前記凹状部は前記穴に受容されている前記ワイパーアームに係合する特徴４５に記載のコネクター。
［特徴５４］
前記受容部材は、ワイパーアームを受容する第２の穴を有し、前記受容部材は、一対の凹状部を有するキャップを含み、該キャップは、開位置から閉位置に回動し、該閉位置では、前記凹状部は、前記穴または前記第２の穴のいずれかに受容されている前記ワイパーアームに係合する特徴４５に記載のコネクター。
［特徴５５］
フロントガラスワイパーにおいて、
ワイパーブレードと、
ワイパーアームと、
前記ワイパーアームに取り付けられるコネクターとを備え、
前記コネクターは、
前記ワイパーブレードに取り付けられるベース部と、
前記ベース部に枢結される受容部材とを備え、
前記受容部材は、
該受容部材を前記ベース部に枢結する取付け部と、
第１のワイパーアームを受容するように構成されている穴と、
前記穴に隣接して配置され、前記第１のワイパーアームが前記穴に受容されると、前記第１のワイパーアームに係合し、該受容部材が前記ベース部に対して回動することを防止する回動停止部と、
互いに対面しに沿って互いに向かって押圧することができる一対の可撓性翼状停止部を含む支持面と、
前記支持面から離間して該支持面に対面する係合面とを有し、
前記可撓性係合面と前記支持面とは、第２のワイパーアームの表面をぴったりと受容するような寸法のスロットを形成し、
前記係合面は、
第１の側方支持部と、
前記第１の側方支持部に対面する第２の側方支持部と、
その一方の端部が、前記第１の側方支持部および前記第２の側方支持部の双方に取り付けられ、かつ、反対側の端部が、自由であるとともに、前記支持面に対面する突出部を有する係合舌片とを含むフロントガラスワイパー。
［特徴５６］
前記第１の側方支持部および前記第２の側方支持部は前記係合舌片とは独立して動き、また、該係合舌片は該第１の側方支持部および該第２の側方支持部とは独立して動く特徴５５に記載のフロントガラスワイパー。
［特徴５７］
前記係合舌片は、前記突出部の反対側に位置する解除ノッチを有する特徴５５に記載のフロントガラスワイパー。
［特徴５８］
前記一対の可撓性翼状停止部は、前記スロットの長手軸に対して垂直の方向に沿って互いに向かって押圧することができる特徴５５に記載のフロントガラスワイパー。
［特徴５９］
前記回動停止部は前記ベース部と一体である特徴５５に記載のフロントガラスワイパー。
［特徴６０］
前記受容部材は、少なくとも６つの異なるワイパーアームを受容して、該少なくとも６つの異なるワイパーアームに連結される構造部を有する特徴５５に記載のフロントガラスワイパー。
［特徴６１］
前記少なくとも６つの異なるワイパーアームは、Ｉ＆Ｌワイパーアームと、ＰＴＢワイパーアームと、第１のピンワイパーアームと、第２のピンワイパーアームと、第１のＪ字フックワイパーアームと、第２のＪ字フックワイパーアームとである特徴６０に記載のフロントガラスワイパー。
［特徴６２］
前記少なくとも６つの異なるワイパーアームは、少なくとも３つの異なる種類のワイパーアームを含む特徴６０に記載のフロントガラスワイパー。
［特徴６３］
前記受容部材は凹状部を有するキャップを含み、該キャップは、開位置から閉位置に回動し、該閉位置では、前記凹状部は前記穴に受容されている前記ワイパーアームに係合する特徴５５に記載のフロントガラスワイパー。
［特徴６４］
前記受容部材はワイパーアームを受容する第２の穴を有し、前記受容部材は、一対の凹状部を有するキャップを含んでおり、該キャップは、開位置から閉位置に回動し、該閉位置において、前記凹状部は、前記穴または前記第２の穴のいずれかに受容されている前記ワイパーアームに係合する特徴５５に記載のフロントガラスワイパー。
［特徴６５］
前記ワイパーアームは前記第１のワイパーアームである特徴５５に記載のフロントガラスワイパー。
［特徴６６］
前記ワイパーアームは前記第２のワイパーアームである特徴５５に記載のフロントガラスワイパー。
【符号の説明】
【００３１】
１００    コネクター
１０２    ベース部
１０４    受容部材
１０５    孔
１０６    ロック用キャップ
１０８    側壁
１１０    側壁
１１２    穴
１１４    穴
１１６    穴
１１８    穴
１２０    側方突出部
１２２    凹状部
１２４    字面
１２６    字面
１２８    字カラー
１３０    回動停止部
１３１    凹状部
１３３    凹状部
１４０    スロット
１４２    支持面
１４４    係合面
１４６    第１の側方支持部
１４８    第２の側方支持部
１５０    係合舌片
１５２    端部
１５４    端部
１５５    突出部
１５６    下縁
１５７    湾曲部
１５８    可撓性翼状停止部
１６０    解除ノッチ
１６２    端部
１６４    下面
１６６    キャビティ
２００    大型ピンワイパーアーム
２０２    小型ピンワイパーアーム
２０４    遠位端部
２０６    中間部
２０８    プッシュタブボタン（ＰＴＢ）ワイパーアーム
２１０    インサートアンドロック（Ｉ＆Ｌ）ワイパーアーム
２１２    大型Ｊ字フックワイパーアーム
２１４    小型Ｊ字フックワイパーアーム
２１６    肩部
２１８    ワイパーアーム
２２０    肩部
【図１Ａ】
0006445512.tif 000002
【図１Ｂ】
0006445512.tif 000003
【図１Ｃ】
0006445512.tif 000004
【図２】
0006445512.tif 000005
【図３】
0006445512.tif 000006
【図４】
0006445512.tif 000007
【図５】
0006445512.tif 000008
【図６】
0006445512.tif 000009
【図７】
0006445512.tif 000010
【図８Ａ】
0006445512.tif 000011
【図８Ｂ】
0006445512.tif 000012
【図８Ｃ】
0006445512.tif 000013
【図８Ｄ】
0006445512.tif 000014
【図９Ａ】
0006445512.tif 000015
【図９Ｂ】
0006445512.tif 000016
【図１０Ａ】
0006445512.tif 000017
【図１０Ｂ】
0006445512.tif 000018
【図１０Ｃ】
0006445512.tif 000019
【図１１Ａ】
0006445512.tif 000020
【図１１Ｂ】
0006445512.tif 000021
【図１１Ｃ】
0006445512.tif 000022
【図１２Ａ】
0006445512.tif 000023
【図１２Ｂ】
0006445512.tif 000024
【図１３Ａ】
0006445512.tif 000025
【図１３Ｂ】
0006445512.tif 000026
【図１３Ｃ】
0006445512.tif 000027
【図１３Ｄ】
0006445512.tif 000028